(57)【要約】      （修正有）【課題】法面保護ブロックを構成する部材を予め複数の別部材に別けて製造し、それらを施工場所で組み合わせて設置することにより法面を完成することができるようにしたもので、それら各部材の各々の重量を２５ｋｇ前後までの小重量となる軽量に抑えることで人力のみで移動させて施工する法面保護ブロックを提供する。【解決手段】平面三角形状の板状部材の各辺に沿って枠部材を設け、該枠部材の側壁外側に係合部を形成した第１中張ブロック、該第１中張ブロックと略同一形状の第２中張ブロック、該第１、第２中張ブロックの頂角を挟む各々の枠部材の係合部に嵌合する係合部を設けた棒状の第１、第２格子枠部材、該第１中張ブロックの底辺側枠部材の係合部は該第２中張ブロックの底辺側枠部材の係合部又は棒状の第３格子枠部材の係合部と嵌合することを特徴とする軽量の組み合わせ法面保護ブロック。【選択図】図１１
2018003423.tif 000002
【特許請求の範囲】
【請求項１】
平面三角形状の板状部材の各辺に沿って枠部材を設け、該枠部材の側壁外側に係合部を形成した第１中張ブロック、該第１中張ブロックと略同一形状の第２中張ブロック、該第１、第２中張ブロックの頂角を挟む各々の枠部材の係合部に嵌合する係合部を設けた棒状の第１、第２格子枠部材、該第１中張ブロックの底辺側枠部材の係合部は該第２中張ブロックの底辺側枠部材の係合部又は棒状の第３格子枠部材の係合部と嵌合することを特徴とする軽量の組み合わせ法面保護ブロック。
【請求項２】
平面三角形状の板状部材の各辺に沿って枠部材を設け、該枠部材の側壁外側に係合部を形成した第１中張ブロック、該第１中張ブロックと略同一形状の第２中張ブロック、該第１中張ブロックの半割の大きさとなる平面三角形状の板状部材で、各辺に沿って枠部材を設け、該枠部材の側壁外側に係合部を形成した第３中張ブロック、該第１、第２中張ブロックの頂角を挟む各々の枠部材の係合部に嵌合する係合部を設けた棒状の第１、第２格子枠部材、該第１中張ブロックの底辺側枠部材の係合部は該第２中張ブロックの底辺側枠部材の係合部又は棒状の第３格子枠部材の係合部と嵌合し、該第３中張ブロックの頂角を挟む各々の枠部材の側壁外側に形成した係合部は短尺棒状の第４、第５格子枠部材の係合部と嵌合することを特徴とする軽量の組み合わせ法面保護ブロック。
【請求項３】
平面三角形状の第１、第２中張ブロックは、その頂角を挟む２辺を等辺とした二等辺三角形状とし、第１、第２格子枠部材を同一長としたことを特徴する請求項１又は２記載の組み合わせ法面保護ブロック。
【請求項４】
平面三角形状の第３中張ブロックは、その頂角を挟む２辺を等辺とした二等辺三角形状とし、第４、第５格子枠部材を同一長としたことを特徴する請求項２記載の組み合わせ法面保護ブロック。
【請求項５】
第２中張ブロックの板状部材に水抜き孔を設けたことを特徴とする請求項１乃至４のいずれか記載の組み合わせ法面保護ブロック。
【請求項６】
第１、第２格子枠部材は、第１、第２中張ブロックの厚さより厚い左右対称形状の棒状部材とし、長手方向左右側壁下部側に係合部を設け、上部側に傾斜部を設けたことを特徴とする請求項１乃至５のいずれか記載の組み合わせ法面保護ブロック。
【請求項７】
第３格子枠部材は、第１、第２中張ブロックの厚さより厚い棒状部材とし、長手方向一方の側壁下部側に係合部を設け、上部側に傾斜部を設け、他方側の側壁は平坦壁面としたことを特徴とする請求項１乃至６のいずれか記載の組み合わせ法面保護ブロック。
【請求項８】
第１〜第５格子枠部材に補強兼連結部材を埋設し、その両端部は格子枠部材より突出させてなることを特徴とする請求項１又は２記載の組み合わせ法面保護ブロック。
【請求項９】
法面の法尻側に基礎を設け、該基礎の側壁面に第３格子枠部材の側壁の平坦壁面を当接させて設置し、該第３格子枠部材の側壁下部側の係合部に平面三角形状の第１中張ブロックの底辺側の枠部材に形成した係合部と嵌合して該第１中張ブロックを該第３格子枠部材上に併設固定し、該第１中張ブロックの頂角を挟む枠部材の係合部に各々第１、第２格子枠部材の係合部を嵌合して該第１、第２格子枠部材を固定し、第１中張ブロック間の該第１格子枠部材と隣接する第２格子枠部材との空間に第２中張ブロックをその頂部側を下方にして該第１、第２格子枠部材の他側壁の係合部に嵌合して第２中張ブロックを併設固定し、該第２中張ブロックの底辺側枠部材の係合部に法肩側の第１中張ブロックの底辺側の枠部材の係合部を嵌合して該第１中張ブロックを併設固定し、該第１中張ブロックの頂角を挟んだ枠部材の係合部に各々第１、第２格子枠部材の係合部を嵌合して第１、第２格子枠部材を固定し、該第１中張ブロック間の該第１格子枠部材と隣接する第２格子枠部材との空間に第２中張ブロックをその頂角側を下方にして該第１、第２格子枠部材の他側壁の係合部に嵌合して第２中張ブロックを併設固定し、それら第１、第２中張ブロック及び第１、第２、第３格子枠部材との嵌合を繰り返して幅方向へ設置しながら法肩側へ積み上げ、第１〜第３格子枠部材の端部間の空間で法面側と強固に固定し、且つ、充填材を充填してなることを特徴とする法面保護ブロックによる法面構造。
【請求項１０】
法面の法尻から法肩へ請求項１記載の第１、第２中張ブロック及び第１〜第３格子枠部材を組み合わせて法面保護ブロックにより法面に固定した法面構造の法面幅方向端部側において生じる三角形状の空間部において、第１中張ブロックの頂角を左側端部にあっては右側に、右側端部にあっては左側に位置させて第１、第２格子枠部材の係合部を該第１中張ブロックの頂角を挟む枠部材の各々の係合部に嵌合して該第１中張ブロックを併設固定し、該第１中張ブロックの底辺側の枠部材の係合部に第３格子枠部材の係合部を嵌合固定してなることを特徴とする請求項９記載の法面保護ブロックによる法面構造。
【請求項１１】
法面の法尻から法肩へ請求項１記載の第１、第２中張ブロック及び第１〜第３格子枠部材を組み合わせて法面保護ブロックにより法面に固定した法面構造の法面幅方向の左右端部側の隅部において生じる小三角形状の空間部において、請求項２記載の第１中張ブロックの半割の大きさとなる平面三角形状の第３中張ブロックの頂角を法尻及び法肩の左側隅部にあっては左端部側に、右側隅部にあっては右端部側に位置させ、底辺側の係合部を該第１又は第２格子枠部材の係合部に嵌合して固定し、頂角を挟む枠部材の各々の係合部に第３格子枠部材より短寸法とした同一形状の第４、第５格子枠部材の係合部を嵌合固定してなることを特徴とする請求項９記載の法面保護ブロックによる法面構造。
【発明の詳細な説明】
【技術分野】
【０００１】
本発明は、法面ブロックの軽量化を図ることにより施工場所への持ち運び及び設置作業の簡便さを得ることを目的とした組み合わせ法面保護ブロック及びその法面保護ブロックによる法面構造に関するものである。
【背景技術】
【０００２】
法面の浸食、表面滑落、崩壊、落石等からの長期的な安定を得るための対策として法面に対して現場打ちコンクリート工事が行われている。その施工は、例えば、鉄筋コンクリート枠部材を先行して構築し、その枠部材内をコンクリートの打設やモルタルの吹き付け等を行い、該枠部材と一体化した連続構造の法面を構築している。しかし、それらは傾斜面での困難な現場施工を伴っていた。そこで現場での作業を少なくするために予め製造した法面保護ブロックが採用されている。その法面保護ブロックとしてプレキャスト製の枠工が使用されている。
【０００３】
下記特許文献１は、プレキャスト製の枠部材のみからなるもので、該枠部材を井型に組んでいくことで広範囲にわたる補強した法面を構築するものであるが、該枠部材の内側は空間とされており、該枠部材による枠組みの完成後、その空間に植生を施すことにより補強するものである。該枠部材は中央部位より棒状部材を四方へ突設して法面保護ブロックとし、それらを組み合わせて枡目が形成されるように法面に設置し、その枡目内に土砂を埋め戻して植生工を施しているものである。法面全面を強度の有る補強部材で覆うことのできる法面保護ブロックではない。
【０００４】
また、上記プレキャスト製枠工は、枠部材のみで形成されているので湧水の多い法面や崩落のおそれのある法面等には適しておらず、更に、寒冷地域等では凍上により該枠部材の浮き上がりが懸念されて使用できなかった。
【０００５】
また、勾配が急な箇所では、枠部材の内側の土砂詰め物や植生物が落下や流出するおそれがあり、その場合は、枠部材の内側を石張りやコンクリートブロック張り等の中詰部材による中詰工を行っている。
【０００６】
上記中詰工の場合、中詰部材を法面に密着させて定着積み上げ施工をする必要があり、そのためには法面となる表面側を平坦に仕上げる必要がある。そうでないと表面と枠部材及び中詰部材との間に分離が生じ、その分離した隙間が湧水等の流水の通り道となり、その流水によりそれらの下側が洗掘されて安定した法面を構築することができないことになる。
【０００７】
上記の通り、枠部材のみをプレキャスト製とした法面の構築は、その表面側を平坦とするための整地作業、枠部材の設置作業、中詰部材の設置作業等の多くの異なった作業を必要とし、且つ、設置後における湧水等の流水による枠部材や中詰部材の裏側となる法面の土砂流出やはらみ出し現象等が生じる心配があった。
【０００８】
上記状況を鑑み、枠部材とその内側の中詰部材とを予め一体化したプレキャスト製コンクリートブロックが採用されている。しかし、それら法面用プレキャスト製コンクリートブロックは人力のみでは移動することのできない重量物となるため、その運搬や設置作業のためにはクレーン等の大掛かりな機械やその操作が必要であり、且つ、その設置作業には危険が伴い、且つ、クレーン等を使用することのできない狭い施工場所での設置は不可能であった。
【先行技術文献】
【特許文献】
【０００９】
【特許文献１】特開平９−１４４００６号公報
【発明の概要】
【発明が解決しようとする課題】
【００１０】
本発明は、法面保護ブロックを構成する部材を予め複数の別部材に別けて製造し、それらを施工場所で組み合わせて設置固定することにより法面を構築することができるようにしたもので、それら各部材の各々の重量を２５ｋｇ前後までの小重量となる軽量部材となるように抑えることで人力のみで移動させて施工することを可能としたものである。
【課題を解決するための手段】
【００１１】
本発明は、平面三角形状の板状部材の各辺に沿って枠部材を設け、該枠部材の側壁外側に係合部を形成した第１中張ブロック、該第１中張ブロックと略同一形状の第２中張ブロック、該第１、第２中張ブロックの頂角を挟む各々の枠部材の係合部に嵌合する係合部を設けた棒状の第１、第２格子枠部材、該第１中張ブロックの底辺側枠部材の係合部は該第２中張ブロックの底辺側枠部材の係合部又は棒状の第３格子枠部材の係合部と嵌合する軽量の組み合わせ法面保護ブロックを特徴とする。
【００１２】
また、平面三角形状の板状部材の各辺に沿って枠部材を設け、該枠部材の側壁外側に係合部を形成した第１中張ブロック、該第１中張ブロックと略同一形状の第２中張ブロック、該第１中張ブロックの半割の大きさとなる平面三角形状の板状部材で、各辺に沿って枠部材を設け、該枠部材の側壁外側に係合部を形成した第３中張ブロック、該第１、第２中張ブロックの頂角を挟む各々の枠部材の係合部に嵌合する係合部を設けた棒状の第１、第２格子枠部材、該第１中張ブロックの底辺側枠部材の係合部は該第２中張ブロックの底辺側枠部材の係合部又は棒状の第３格子枠部材の係合部と嵌合し、該第３中張ブロックの頂角を挟む各々の枠部材の側壁外側に形成した係合部は短尺棒状の第４、第５格子枠部材の係合部と嵌合する軽量の組み合わせ法面保護ブロックを特徴とする。
【００１３】
更に、平面三角形状の第１、第２中張ブロックは、その頂角を挟む２辺を等辺とした二等辺三角形状とし、第１、第２格子枠部材を同一長とした組み合わせ法面保護ブロックを特徴とする。
【００１４】
また、平面三角形状の第３中張ブロックは、その頂角を挟む２辺を等辺とした二等辺三角形状とし、第４、第５格子枠部材を同一長とした組み合わせ法面保護ブロックを特徴とする。
【００１５】
更に、第２中張ブロックの板状部材に水抜き孔を設けた組み合わせ法面保護ブロックを特徴とする。
【００１６】
また、第１、第２格子枠部材は、第１、第２中張ブロックの厚さより厚い左右対称形状の棒状部材とし、長手方向左右側壁下部側に係合部を設け、上部側に傾斜部を設けた組み合わせ法面保護ブロックを特徴とする。
【００１７】
更に、第３格子枠部材は、第１、第２中張ブロックの厚さより厚い棒状部材とし、長手方向一方の側壁下部側に係合部を設け、上部側に傾斜部を設け、他方側の側壁は平坦壁面とした組み合わせ法面保護ブロックを特徴とする。
【００１８】
また、第１〜第５格子枠部材に補強兼連結部材を埋設し、その両端部は格子枠部材より突出させてなる組み合わせ法面保護ブロックを特徴とする。
【００１９】
更に、法面の法尻側に基礎を設け、該基礎の側壁面に第３格子枠部材の側壁の平坦壁面を当接させて設置し、該第３格子枠部材の側壁下部側の係合部に平面三角形状の第１中張ブロックの底辺側の枠部材に形成した係合部と嵌合して該第１中張ブロックを該第３格子枠部材上に併設固定し、該第１中張ブロックの頂角を挟む枠部材の係合部に各々第１、第２格子枠部材の係合部を嵌合して該第１、第２格子枠部材を固定し、第１中張ブロック間の該第１格子枠部材と隣接する第２格子枠部材との空間に第２中張ブロックをその頂部側を下方にして該第１、第２格子枠部材の他側壁の係合部に嵌合して第２中張ブロックを併設固定し、該第２中張ブロックの底辺側枠部材の係合部に法肩側の第１中張ブロックの底辺側の枠部材の係合部を嵌合して該第１中張ブロックを併設固定し、該第１中張ブロックの頂角を挟んだ枠部材の係合部に各々第１、第２格子枠部材の係合部を嵌合して第１、第２格子枠部材を固定し、該第１中張ブロック間の該第１格子枠部材と隣接する第２格子枠部材との空間に第２中張ブロックをその頂角側を下方にして該第１、第２格子枠部材の他側壁の係合部に嵌合して第２中張ブロックを併設固定し、それら第１、第２中張ブロック及び第１、第２、第３格子枠部材との嵌合を繰り返して幅方向へ設置しながら法肩側へ積み上げ、第１〜第３格子枠部材の端部間の空間で法面側と強固に固定し、且つ、充填材を充填してなる法面保護ブロックによる法面構造を特徴とする。
【００２０】
また、法面の法尻から法肩へ請求項１記載の第１、第２中張ブロック及び第１〜第３格子枠部材を組み合わせて法面保護ブロックにより法面に固定した法面構造の法面幅方向端部側において生じる三角形状の空間部において、第１中張ブロックの頂角を左側端部にあっては右側に、右側端部にあっては左側に位置させて第１、第２格子枠部材の係合部を該第１中張ブロックの頂角を挟む枠部材の各々の係合部に嵌合して該第１中張ブロックを併設固定し、該第１中張ブロックの底辺側の枠部材の係合部に第３格子枠部材の係合部を嵌合固定してなる法面保護ブロックによる法面構造を特徴とする。
【００２１】
更に、法面の法尻から法肩へ請求項１記載の第１、第２中張ブロック及び第１〜第３格子枠部材を組み合わせて法面保護ブロックにより法面に固定した法面構造の法面幅方向の左右端部側の隅部において生じる小三角形状の空間部において、請求項２記載の第１中張ブロックの半割の大きさとなる平面三角形状の第３中張ブロックの頂角を法尻及び法肩の左側隅部にあっては左端部側に、右側隅部にあっては右端部側に位置させ、底辺側の係合部を該第１又は第２格子枠部材の係合部に嵌合して固定し、頂角を挟む枠部材の各々の係合部に第３格子枠部材より短寸法とした同一形状の第４、第５格子枠部材の係合部を嵌合固定してなる法面保護ブロックによる法面構造を特徴とする。
【発明の効果】
【００２２】
本発明は、法面保護ブロックにおいて、中央部の中詰部材となる中張ブロックとその周囲に形成される格子枠部材とを別々の個別部材とし、それらを設置場所となる法面で組み合わせ固定することで法面の全面を覆うことができるようにしたもので、各々の部材の重量を２５ｋｇ程度にまで抑える軽量化を図ることを可能とし、それら部材の運搬及び設置作業が人力のみで可能となり、機械類の持ち込みやその操作の必要がなく、省力化となる施工作業が可能となり、また、狭い施工場所での設置固定も可能となった。
【図面の簡単な説明】
【００２３】
【図１】本発明の組み合わせ法面保護ブロックを構成する部材の平面図。
【図２】（ａ）第１中張ブロックと第２格子枠部材との嵌合状態を示す断面図、（ｂ）第１中張ブロックの平面図。
【図３】（ａ）第１、第２中張ブロックを組み合わせた平面図、（ｂ）同断面図。
【図４】（ａ）第１、第２格子枠部材の平面図、（ｂ）同正面図、（ｃ）同側面図。
【図５】第１中張ブロックと第１、第２格子枠部材とを組み合わせた斜視図。
【図６】（ａ）第１中張ブロックの法尻及び法肩位置での第３格子枠部材との組み合わせの断面、（ｂ）第３格子枠部材の平面図、（ｃ）同側面図。
【図７】（ａ）第２中張ブロックを水抜きブロックとした平面図、（ｂ）同断面図。
【図８】法面の隅部に生じる第３中張ブロックの平面図。
【図９】（ａ）第３中張ブロックと第１、第２、第４、第５格子枠部材との組み合わせの平面図、（ｂ）第４、第５格子枠部材の側面図。
【図１０】（ａ）、（ｂ）、（ｃ）第１〜第５格子枠部材の実施例の平面図。
【図１１】（ａ）第１、第２中張ブロックと第１、第２、第３格子枠部材とを組み合わせて法面に固定した状態の平面図、（ｂ）同側断面図。
【図１２】第１、第２、第３中張ブロックと第１〜第５格子枠部材とを組み合わせて法面に固定した状態の平面図。
【発明を実施するための形態】
【００２４】
以下、実施例に沿って組み合わせ法面保護ブロックを説明する。
【実施例１】
【００２５】
図１に示すように、法面保護ブロック１は、中張ブロック及び格子枠部材を組み合わせたもので、該中張ブロックは平面三角形状の第１、第２中張ブロック２、３よりなり、該第１中張ブロック２の各々の３辺を形成する周囲の端縁部には第１〜第３枠部材４、５、６が形成され、該第１〜第３枠部材４、５、６には各々係合部７、８、９が突出形成されている。
【００２６】
他方、別体となる第２中張ブロック３の各々の３辺の周囲の端縁部にも第４〜第６枠部材１０、１１、１２が形成され、該第４、第５枠部材１０、１１には突出係合部１３、１４が形成され、第６枠部材１２には窪み係合部１５が形成されている。
【００２７】
頂角（以下、図１の第１中張ブロックの上部及び第２中張ブロックの下部に位置する隅部を頂角という）を挟む第１中張ブロック２の該第１、第２枠部材４、５の係合部７、８には、該第１中張ブロック２の裏面側の各辺長とほぼ同一長の棒状の第１、第２格子枠部材１６、１７の係合部１９、２０が嵌合される。底辺（以下、頂角の対辺側を底辺という）側の第３枠部材６の係合部９には第２中張ブロック３の第６枠部材１２の係合部１５が嵌合される。該第１中張ブロック２が法面の法尻又は法肩に位置する場合は、該第１中張ブロック２の裏面側の辺長より長い第３格子枠部材１８の係合部２１が嵌合するように設けられている。
【００２８】
該第１、第２中張ブロック２、３は、３辺の辺長が異なる平面三角形状も可能であるが、格子枠部材の部材点数を少なくするために、少なくとも２辺を同一の長さとした三角形状のものが好ましい。従って、正三角形状、二等辺三角形状又は直角二等辺三角形状であることが好ましい。法面に固定したときに変化に富んだ表面形状を醸し出す場合には３辺の辺長が異なる中張ブロックの選択肢もある。少なくとも頂角を挟む２辺を等辺とすることにより第１、第２格子枠部材１６、１７の長さと形状が同一となる同一の部材を使用することができる。また、第３格子枠部材１８の側壁の一方側を第１中張ブロック２の底辺側となる枠部材６の係合部９と嵌合する係合部２１とし、他方側の側壁を平坦壁面２２とすることで第１中張ブロック２を法面の法尻側及び法肩側に配置した場合、第１中張ブロック２の底辺側を係合部２１と嵌合し、平坦壁面２２を法尻及び法肩の露出側に位置させることができる。
【００２９】
第１中張ブロック２の平面三角形状とした各３辺の端縁部に設けた第１〜第３枠部材４、５、６で囲まれた内側は薄厚に形成した中張となる板状部材２３により閉塞している。
【００３０】
該第１〜第３枠部材４、５、６と板状部材２３とは一体で形成し、薄厚板状部材２３により全体の重量を軽量とし、且つ、強度を得るために、図２の断面図及び平面図に示すように、裏面側は平坦面２４とし、表面側は中心部２５を薄くし、第１〜第３枠部材４、５、６に向かって漸次厚くした三角形状の第１〜第３傾斜面２６、２７、２８を形成している。
【００３１】
上記のように、該板状部材２３は全体が薄厚としているが、該三角形状の各辺側に形成した厚い第１〜第３枠部材４、５、６と一体とし、且つ、三角形状となる板状部材２３を連続した剛部材で囲むトラス形状としたことにより強度を確保しながら軽量化を達成することを可能としている。
【００３２】
該第１中張ブロック２の第１〜第３枠部材４、５、６は、その側壁外側下部を外方へ突出し、各々突出段部となる係合部７、８、９を形成している。板状部材２３の裏面側は上記突出段部を含め平坦面２４とし、表面側より一回り大きめの三角形状を形成している。三角形の各辺に形成された突出した該係合部７、８、９が形成する隅部は三角形状にカット形成され、切除部２９、３０、３１となっている。該切除部２９、３０、３１によって法面に第１、第２中張ブロックを設置固定し、それらに第１〜第３格子枠部材１６、１７、１８を嵌合固定したときに該格子枠部材１６、１７、１８の端部間に空間が生じるようにし、該空間をアンカーの打設固定空間及びコンクリートやモルタル等の充填材の充填空間とすることで該格子枠部材１６、１７、１８相互を一体化するための空間とすることができ、該法面に組み合わせの法面保護ブロック１を強固に固定することが可能となる。
【００３３】
第２中張ブロック３は、上記した第１中張ブロック２と同様、三角形状の板状部材３２の各々の３辺を形成する周囲の端縁部に第４〜第６枠部材１０、１１、１２を形成し、該枠部材１０、１１、１２の各々係合部１３、１４、１５を形成し、該係合部１３、１４には、上記した第１、第２格子枠部材１６、１７の突出係合部１９、２０を嵌合し、該第６枠部材１２の係合部１５は第１中張ブロックの第３枠部材６の係合部９を嵌合するように窪み係合部として形成されている。三角形の各辺に形成された突出した該係合部１３、１４及び該窪み係合部１５が形成する隅部は、上記同様、三角形状の切除部が形成されている。
【００３４】
第１中張ブロック２の第３枠部材６の係合部９は下部側を外方へ突出する突出部とし、第２中張ブロック３の第６枠部材１２の窪み係合部１５と嵌合されることになる。図３は、第１中張ブロック２と第２中張ブロック３とが各々の底辺側の第３枠部材６の係合部９及び第６枠部材１２の窪み係合部１５で嵌合された状態を示している。第１、第２中張ブロック２、３及び第１、第２格子枠部材１６、１７を法面に固定して積み上げた場合、法肩側となる上方に位置する第１中張ブロック２の底辺側の係合部９が下方側に突出され、その上面側に第２中張ブロック３の係合部１５に位置する裏面側が覆うように嵌合されることになるので、法面側から該第１、第２中張ブロック２、３の表面側へ雑草が伸びてくることを防止することができる。また、該第１、第２中張ブロック２、３の表面上を流下する雨水や湧水等が当該嵌合部において法面側に漏水浸透することを少なくすることができる。
【００３５】
第１、第２格子枠部材１６、１７は、図４に示すように、第１、第２中張ブロック２、３を形成する平面三角形状の頂角を挟む側の各辺に嵌合される部材であるが、以下、部材点数を少なくするために該第１、第２中張ブロック２、３を二等辺三角形とした場合の第１、第２格子枠部材１６、１７について述べる。該第１、第２格子枠部材１６、１７は、各々第１、第２中張ブロック２、３の頂角を挟む２辺の裏面側の寸法と略同一の長さを有し、第１〜第３枠部材４、５、６の厚さ（高さ）より厚く形成している。長手方向の左右側壁部３３、３４の下部の左右に窪み部となる係止部１９、２０を設け、図５に示すように、該側壁部３３、３４が該第１、第２中張ブロック２、３の第１、第２枠部材４、５の側壁部と当接するように該第１、第２格子枠部材１６、１７を該第１、第２中張ブロック２、３間に配設している。第１、第２格子枠部材１６、１７の側壁部３３、３４の左右上部は傾斜面とされ、上面は平坦部としている。該上面の長手方向両端部には傾斜面が形成され、部材の端部の損傷防止と該第１、第２格子枠部材１６、１７間に生じる空間での固定や充填材を充填するときの充填し易さ及び法面に設置固定した場合における美感を良好としている。
【００３６】
第３格子枠部材１８は、図６（ｂ）、（ｃ）に示すように、一方の側壁部３５の下部は係合部２１が形成され、他方の側壁部は平坦壁面２２とされ、該係合部２１に第１中張ブロック２の底辺側の第３枠部材６の係合部９が嵌合されることになる。該平坦壁面２２は、図６（ａ）に示すように、法面に固定した場合の法尻側においては先行設置或いは先行構築した基礎Ａの側壁部の一部に当接設置させ、法肩側においては該平坦壁面２２が上方側の見切縁面となるように第１中張ブロック２の第３枠部材６の係合部９が第３格子枠部材１８の係合部２１に嵌合して固定されることになる。
【００３７】
第１〜第９枠部材４、５、６、１０、１１、１２、４０、４１、４２中に６ｍｍの補強鉄筋３６を第１〜第３中張ブロック２、３、３７の板状部材２３、３２、３８を囲むように配筋することで三角形状の剛体構造を有した第１〜第３中張ブロック２、３、３７を得ることができる。また、同様に第１〜第３格子枠部材１６、１７、１８も補強鉄筋或いは補強鉄線により補強することができる。
【００３８】
上記実施例で示した第１、第２中張ブロック２、３の形状を、例えば、二等辺三角形状の場合、頂角を挟む等辺寸法を約５７２ｍｍ、底辺寸法を約８２６ｍｍ、枠部材の幅を約５０ｍｍ、内側の板状部材の厚さを約３５ｍｍ、枠部材の厚さ（高さ）を約７０ｍｍとしたコンクリート製とすることで、全体の重さを２５．７ｋｇに抑えることができる。なお、この場合の補強鉄筋３６の重さは０．３７７ｋｇである。また、第３中張ブロック３８の形状を二等辺三角形状とし、頂角を挟む等辺寸法を約４１３ｍｍ、底辺寸法を約４８０ｍｍ、枠部材の幅を約５０ｍｍ、内側の板状部材の厚さを約３５ｍｍ、枠部材の厚さ（高さ）を約７０ｍｍとしたコンクリート製とすることで、全体の重さを１５．０ｋｇとすることができる。なお、この場合の補強鉄筋３６の重さは０．２５８ｋｇである。
【００３９】
他方、第１、第２格子枠部材１６、１７は、その長さを約６４７ｍｍ、厚さ（高さ）を約１２０ｍｍとすることで補強鉄筋（補強鉄線）を含めた全体の重量を約１４．８ｋｇとすることができる。また、第３格子枠部材１８は、その長さを約９９７ｍｍ、厚さ（高さ）を約１２０ｍｍとすることで補強鉄筋（補強鉄線）を含めた全体の重量を約２０．４ｋｇとすることができる。更に、第４、第５格子枠部材４６、４７は、その長さを約４９８ｍｍ、厚さ（高さ）を約１２０ｍｍとすることで補強鉄筋（補強鉄線）を含めた全体の重量を約１０．２ｋｇとすることができる。
【００４０】
上記のように、各部材の重量を約２５ｋｇ前後までに抑えることができるので人力のみでそれらの運搬及び設置作業が可能となる。
【実施例２】
【００４１】
図７に示すように、第２中張ブロック３には法面側からの雨水や湧水等を表面側から排出するための水抜き孔３９を板状部材３２に設けることができる。該第２中張ブロック３は、頂角側を常に法面の法尻側に向けて設置固定することになるので該水抜き孔３９は該頂角側に傾斜面が得られるように裏面側を上方に表面側を下方となる傾斜面を形成し、雨水や湧水等が流出し易いようにしている。該水抜き孔３９にパイプＰを挿入し、該パイプＰを通じて法面側の水を第２中張ブロック３の表面側へ流出させることができる。
【実施例３】
【００４２】
図８に示すように、上記実施例１、２の組み合わせ法面保護ブロックを法面に設置固定した場合、設置面の幅方向の寸法上、第１、第２中張ブロック２、３及び第１〜第３格子枠部材１６、１７、１８の組み合わせだけでは収まらない三角形状の小空間が隅部に生じることがある。この隅部に対応するために該第１中張ブロックの半割の大きさとした三角形状の第３中張ブロック３７を使用するものである。
【００４３】
該第３中張ブロック３７は、図９に示すように、第１中張ブロック２を頂角から対辺に向けた中心位置で半割の大きさとした三角形状のもので、板状部材３８の３辺に沿って第７〜第９枠部材４０、４１、４２を設け、該第７〜第９枠部材４０、４１、４２の側壁外側に各々突部となる係合部４３、４４、４５を形成している。
【００４４】
頂角を挟む第７、第８枠部材４０、４１の係合部４３、４４には、上記実施例１の第３格子枠部材と同一断面形状となる短尺とした棒状の第４、第５格子枠部材４６、４７の係合部４８、４９が嵌合することになる。第４、第５格子枠部材４６、４７の一方側の側壁部を平坦壁面５０とし、他方側の側壁部５１の下部に係合部４８、４９を設けている。
【００４５】
他方、対辺側の第９枠部材４２側には、第９枠部材４２の係合部４５が第１、第２格子枠部材１６、１７の係合部１９、２０と嵌合して第１又は第２格子枠部材１６、１７が位置することになる。
【実施例４】
【００４６】
図１０は、格子枠部材１６、１７、１８、４６、４７の部材中には鉄筋又は鉄線を埋設して補強すると同時に、その端部を部材の両端部より突出させて相互連結及び法面への設置固定のための係止部材とした補強兼連結部材５２とすることができる。３．２ｍｍφの補強材ともなるナマシ鉄線が比較的柔らかいので作業性がよく最良のものである。
【００４７】
法面に第１〜第３中張ブロック２、３、３７及び格子枠部材１６、１７、１８、４６、４７を組み立て設置固定することにより該格子枠部材１６、１７、１８、４６、４７間に四角形状や三角形状の空間が生じることになる。該空間には該補強兼連結部材５２が突出されるので、当該箇所でそれらを堅固に結束し、また、法面に打ち込んだアンカー筋Ｋと固定し、モルタル、コンクリート等の充填材で該空間を充填することでより一層強固な連結手段を得ることができる。
【実施例５】
【００４８】
図１１（ａ）、（ｂ）は、上記実施例１で示した組み合わせ法面保護ブロック１を法面に設置固定した実施例を示している。組み合わせ法面保護ブロック１を設置する最下部となる法尻側に基礎ブロックＡを設置又は構築する。基礎ブロックＡは、ベース版Ｂと支持ブロックＣとより構成された厚みと高さの有る断面略逆Ｔ字形の長尺部材で、プレキャスト部材或いは現場打ちコンクリート等により構築し、該支持ブロックＣの法面側の隅部には第３格子枠部材１８を載置固定するために断面三角形状に切除した切除部Ｄを形成している。
【００４９】
基礎ブロックＡの切除部Ｄに第３格子枠部材１８の側壁部の平坦壁面２２を該切除部Ｄに当接して設置する。その設置後において、該第３格子枠部材１８の窪み部となる係合部２１に第１中張ブロック２の底辺側の枠部材６の突状の係合部９を嵌合して該第１中張ブロック２を法面上に設置固定する。本実施例では４個の第１中張ブロック２を長手方向の基礎ブロックＡに沿って併設固定している。
【００５０】
該第１中張ブロック２の頂角を挟んだ左右等辺側の枠部材４、５の突部とした係合部７、８には第１、第２格子枠部材１６、１７の係合部１９、２０を嵌合する。該第１、第２格子枠部材１６、１７の他方側係合部１９、２０には、並設して設置した該第１中張ブロック２、２間となる三角形状の空間となる位置に第２中張ブロック３を、その頂角側を法尻側とし、その左右等辺側の第１、第２枠部材４、５の突部とした係合部７、８を嵌合して固定する。本実施例では３個の第２中張ブロック３を先行して固定した第１中張ブロック２、２間の三角形状の空間に各々併設して固定している。
【００５１】
該第２中張ブロック３の上方側に位置することになる底辺側の第６枠部材１２の係合部１５には、第１中張ブロック２の底辺側の第３枠部材６の係合部９を嵌合する。その後、該第１中張ブロック２の頂角を挟む等辺側の第１、第２枠部材４、５の係合部７、８に第１、第２格子枠部材１６、１７の係合部１９、２０を嵌合し、各々該第１、第２格子枠部材１６、１７を設置固定する。
【００５２】
上記第１、第２格子枠部材１６、１７間に形成された三角形状の空間には第２中張ブロック３を、その第４、第５枠部材１０、１１の係合部１３、１４に該第１、第２格子枠部材１６、１７の係合部１９、２０が嵌合するようにして設置固定する。
【００５３】
その後、上記第２中張ブロック３の上方側に位置することになった底辺側第６枠部材１２の係合部１５には第１中張ブロック２の底辺側枠部材６の係合部９を嵌合し、両者を設置固定する。
【００５４】
以下、上記第１、第２中張ブロック２、３と第１、第２格子枠部材１６、１７との嵌合を繰り返すことにより所定位置の法肩まで積み上げて設置固定することになる。
【００５５】
本実施例の法肩位置では、第１中張ブロック２の底辺側を上にして固定し、該底辺側となる第３枠部材６の係合部９に第３格子枠部材１８の係合部２１を嵌合して該第３格子枠部材１８を固定することになる。
【００５６】
上記第１、第２中張ブロック２、３及び第１〜第３格子枠部材１６、１７、１８を設置固定するに当って、第２中張ブロック３の位置に実施例２に示した水抜き孔３９付の第２中張ブロック３を適宜箇所に使用することになる。
【００５７】
上記第１、第２中張ブロック２、３及び第１〜第３格子枠部材１６、１７、１８によって法尻から法肩へ所定区域の法面全体を設置固定することになるが、該第１〜第３格子枠部材１６、１７、１８の端部間に生じた空間にはアンカー筋Ｋによる法面への固定及びモルタル、コンクリート等の充填材を充填することで相互間を強固に連結しながら法面に設置固定することになる。
【００５８】
第１〜第３格子枠部材１６、１７、１８の両端部から補強兼連結部材５２を突出した実施例のものにあっては、それらを当該空間で結束固定し、更に、アンカー筋Ｋと連結して該アンカー筋Ｋにより法面に固定し、それらの空間を充填材で充填することにより第１〜第３中張ブロック２、３、３７及び第１〜第５格子枠部材１６、１７、１８、４６、４７を法面に強固に固定することになる。
【実施例６】
【００５９】
図１２は、法面の隅部に生じた三角形状の小空間に第３中張ブロック３７を設置固定した実施例を示している。該第３中張ブロック３７の頂角を挟む２辺は完成させる法面保護ブロックの幅方向となる側縁側の左右端縁部及び法尻或いは法肩に位置することになり、その２辺の係合部４３、４４に第４、第５格子枠部材４６、４７の係合部４８、４９を嵌合することで隅部を収めることができる。
【００６０】
該第３中張ブロック３７と第１、第２格子枠部材１６、１７との設置固定によって生じる第１、第２格子枠部材１６、１７の両端部間に生じた空間には、上記同様、補強兼連結部材５２による結束固定及びアンカー筋Ｋによる固定並びに充填材の充填により法面に強固に設置固定することができる。
【符号の説明】
【００６１】
１                        法面保護ブロック
２                        第１中張ブロック
３                        第２中張ブロック
４                        第１枠部材
５                        第２枠部材
６                        第３枠部材
７                        第１枠部材の係合部
８                        第２枠部材の係合部
９                        第３枠部材の係合部
１０                      第４枠部材
１１                      第５枠部材
１２                      第６枠部材
１３                      第４枠部材の係合部
１４                      第５枠部材の係合部
１５                      第６枠部材の係合部
１６                      第１格子枠部材
１７                      第２格子枠部材
１８                      第３格子枠部材
１９                      第１格子枠部材の係合部
２０                      第２格子枠部材の係合部
２１                      第３格子枠部材の係合部
２２、５０                平坦壁面
２３、３２、３８          板状部材
２４                      平坦面
２５                      中心部
２６                      第１傾斜面
２７                      第２傾斜面
２８                      第３傾斜面
２９、３０、３１          切除部
３３、３４、３５、５１    側壁部
３６                      補強鉄筋
３７                      第３中張ブロック
３９                      水抜き孔
４０                      第７枠部材
４１                      第８枠部材
４２                      第９枠部材
４３                      第７枠部材の係合部
４４                      第８枠部材の係合部
４５                      第９枠部材の係合部
４６                      第４格子枠部材
４７                      第５格子枠部材
４８                      第４格子枠部材の係合部
４９                      第５格子枠部材の係合部
５２                      補強兼連結部材
【図１】
2018003423.tif 000003
【図２】
2018003423.tif 000004
【図３】
2018003423.tif 000005
【図４】
2018003423.tif 000006
【図５】
2018003423.tif 000007
【図６】
2018003423.tif 000008
【図７】
2018003423.tif 000009
【図８】
2018003423.tif 000010
【図９】
2018003423.tif 000011
【図１０】
2018003423.tif 000012
【図１１】
2018003423.tif 000013
【図１２】
2018003423.tif 000014